(57)【要約】  本明細書によって開示されるコネクタ１０は、バスバー３０を有するハウジング１２と、前記ハウジング１２に取り付けられる取付部材と、を備えるコネクタ１０であって、前記ハウジング１２は、第１ロック部３８を有し、前記取付部材は、前記第１ロック部３８と係合する第２ロック部６０を有し、前記第１ロック部３８は前記バスバー３０の露出面３６側に設けられている。
2019208220.tif 000002
【特許請求の範囲】
【請求項１】
バスバーを有するハウジングと、
前記ハウジングに取り付けられる取付部材と、を備えるコネクタであって、
前記ハウジングは、第１ロック部を有し、
前記取付部材は、前記第１ロック部と係合する第２ロック部を有し、
前記第１ロック部は前記バスバーの露出面側に設けられているコネクタ。
【請求項２】
前記第２ロック部は前記バスバーの露出面に対向する位置に設けられている請求項１に記載のコネクタ。
【請求項３】
前記第１ロック部は、前記バスバーの露出面の少なくとも一部に設けられている請求項１または請求項２に記載のコネクタ。
【請求項４】
樹脂製のハウジングと、
前記ハウジングに埋設される導電金属製のバスバーと、
前記ハウジングに取付けられる別体の取付部材と、を備えるコネクタであって、
前記ハウジングには、第１ロック部が突設されており、
前記取付部材には、前記第１ロック部に当接して前記取付部材を前記ハウジングに係止する第２ロック部が設けられており、
前記バスバーは、板面が外部に露出する露出面を有しており、
前記第１ロック部は、前記ハウジングと一体とされ、前記バスバーの前記露出面上に直に設けられている、コネクタ。
【請求項５】
前記ハウジングには、前記第１ロック部の、前記取付部材の取付方向と交差する両側面と連なる保持壁が設けられている請求項４に記載のコネクタ。
【請求項６】
前記取付部材は、前記ハウジングへの取付方向に片持ち状に突出するロックアームを備え、
前記第２ロック部は、前記ロックアームの端部から前記バスバーの前記露出面の方向に突設している請求項４又は請求項５に記載のコネクタ。
【請求項７】
前記ロックアームは、一対設けられ、一対の前記ロックアームは互いに対向しており、
前記第２ロック部は、一方の前記ロックアーム側に設けられ、対向する他方の前記ロックアームに向かう方向と逆方向に突設しており、
前記ハウジングには、第３ロック部が突設されており、
他方の前記ロックアームには、他方の前記ロックアームの端部から、対向する一方の前記ロックアームに向かう方向と逆方向に突設し、前記第３ロック部に当接して前記取付部材を前記ハウジングに係止する第４ロック部が設けられている請求項６に記載のコネクタ。
【請求項８】
前記第１ロック部には、前記第１ロック部の、突出方向の端部から前記取付部材の取付方向と逆方向に、前記バスバーの前記露出面に向けて傾斜する第１テーパー面が設けられている請求項６又は請求項７のいずれか一項に記載のコネクタ。
【請求項９】
前記第２ロック部には、前記第２ロック部の突出方向の端部から、前記ロックアームの前記取付部材の取付方向の先端部に向かって傾斜する第２テーパー面が設けられている請求項６から請求項８のいずれか一項に記載のコネクタ。
【発明の詳細な説明】
【技術分野】
【０００１】
本明細書によって開示される技術は、コネクタに関する。
【背景技術】
【０００２】
従来のコネクタとして、例えば、特開２０１１−３４９３７号公報に記載のコネクタが知られている。このコネクタは、第一コネクタと、第一コネクタと嵌合する第二コネクタとから構成されている。【０００３】
第一コネクタは、嵌合方向に開口する第一コネクタのフード部を備えており、第二コネクタは、嵌合時に第一コネクタのフード部内に収容され、嵌合方向に開口する第二コネクタのフード部を備えている。【０００４】
第一コネクタのフード部には、嵌合孔が開口して設けられており、第二コネクタのフード部の外面には、嵌合時に第一コネクタの嵌合孔に係止して嵌合状態でロックされる嵌合凸部が突設されている。また、第二コネクタのフード部の、嵌合凸部の裏側の内面には、内面に沿って嵌合方向に延びる第二端子金具が設けられている。
【先行技術文献】
【特許文献】
【０００５】
【特許文献１】特開２０１１−３４９３７号公報
【発明の概要】
【発明が解決しようとする課題】
【０００６】
しかしながら、嵌合凸部と第二端子金具は、第２フード部の樹脂厚分離れており、その樹脂厚の分、コネクタが大型化するという問題がある。
【課題を解決するための手段】
【０００７】
本明細書で開示されるコネクタは、バスバーを有するハウジングと、前記ハウジングに取り付けられる取付部材と、を備えるコネクタであって、前記ハウジングは、第１ロック部を有し、前記取付部材は、前記第１ロック部と係合する第２ロック部を有し、前記第１ロック部は前記バスバーの露出面側に設けられている。【０００８】
ハウジングの第１ロック部は、バスバーの露出面側に設けられているため、例えば、第１ロック部とバスバーの露出面との間に樹脂壁が形成されることにより第１ロック部がバスバーの露出面側に位置しない構成と比較して、樹脂壁の厚さ分、ハウジングの小型化を図ることができる。したがって、コネクタの小型化を図ることができる。【０００９】
また、前記第２ロック部は前記バスバーの露出面に対向する位置に設けられている構成としても良い。【００１０】
第２ロック部はバスバーの露出面に対向する位置に設けられていることから、例えば、第１ロック部がバスバーの露出面の端部に設けられており、第２ロック部が露出面の端部より嵌合方向前方に位置し、ハウジングの内壁と対向して設けられる構成と比較して、第２ロック部の長さ分、ハウジング及びリテーナの小型化を図ることができる。【００１１】
また、前記第１ロック部は、前記バスバーの露出面の少なくとも一部に設けられている構成としても良い。【００１２】
第１ロック部は、バスバーの露出面の少なくとも一部に設けられているため、例えば、第１ロック部とバスバーの露出面との間に樹脂壁が設けられており、バスバーの露出面に第１ロック部が直に設けられていない構成と比較して、樹脂壁の樹脂厚分、ハウジングの小型化を図ることができる。【００１３】
また、本明細書で開示されるコネクタは、樹脂製のハウジングと、前記ハウジングに埋設される導電金属製のバスバーと、前記ハウジングに取付けられる別体の取付部材と、を備えるコネクタであって、前記ハウジングには、第１ロック部が突設されており、前記取付部材には、前記第１ロック部に当接して前記取付部材を前記ハウジングに係止する第２ロック部が設けられており、前記バスバーは、板面が外部に露出する露出面を有しており、前記第１ロック部は、前記ハウジングと一体とされ、前記バスバーの前記露出面上に直に設けられている。【００１４】
ハウジングの第１ロック部は、バスバーの露出面上に直に設けられているため、従来のように、第１ロック部とバスバーとの間に、ハウジングの樹脂壁が設けられている構成と比較して、樹脂壁が設けられていないことで、樹脂壁の樹脂厚分、ハウジングの小型化を図ることができる。したがって、コネクタの小型化を図ることができる。【００１５】
また、前記ハウジングには、前記第１ロック部の、前記取付部材の取付方向と交差する両側面と連なる保持壁が設けられている構成としても良い。【００１６】
第１ロック部の両側面に保持壁を設けることで、取付部材の取付の際に、第１ロック部に第２ロック部が強く当たったとしても、第１ロック部は保持壁に保持されていることから、第１ロック部が破損することが抑制される。【００１７】
また、前記取付部材は、前記ハウジングへの取付方向に片持ち状に突出するロックアームを備え、前記第２ロック部は、前記ロックアームの端部から前記バスバーの前記露出面の方向に突設している構成としても良い。【００１８】
第２ロック部を片持ち状のロックアームの端部に設けることで、取付部材をハウジングに取付ける際に、第２ロック部が第１ロック部に当たると、ロックアームが撓むため、取付部材をハウジングに取付け易くなる。【００１９】
また、前記ロックアームは、一対設けられ、一対の前記ロックアームは互いに対向しており、前記第２ロック部は、一方の前記ロックアーム側に設けられ、対向する他方の前記ロックアームに向かう方向と逆方向に突設しており、前記ハウジングには、第３ロック部が突設されており、他方の前記ロックアームには、他方の前記ロックアームの端部から、対向する一方の前記ロックアームに向かう方向と逆方向に突設し、前記第３ロック部に当接して前記取付部材を前記ハウジングに係止する第４ロック部が設けられている構成としても良い。【００２０】
取付部材は、一対のロックアームの端部に設けられた第２ロック部及び第４ロック部により、ハウジングの第１ロック部及び第３ロック部に当接して係止されるため、ロックアームが１つのみの構成と比較して、取付部材はハウジングから外れ難くなる。【００２１】
また、前記第１ロック部には、前記第１ロック部の、突出方向の端部から前記取付部材の取付方向と逆方向に、前記バスバーの前記露出面に向けて傾斜する第１テーパー面が設けられている構成としても良い。【００２２】
第１ロック部に第１テーパー面を設けることで、取付部材をハウジングに取付ける際に、第１ロック部の第１テーパー面と第２ロック部とが摺動し、第２ロック部に設けられたロックアームが第１ロック部の突設方向に撓み易くなるため、取付部材をハウジングに取付け易くなる。【００２３】
また、前記第２ロック部には、前記第２ロック部の突出方向の端部から、前記ロックアームの前記取付部材の取付方向の先端部に向かって傾斜する第２テーパー面が設けられている構成としても良い。【００２４】
第２ロック部に第２テーパー面を設けることで、取付部材をハウジングに取付ける際に、第２ロック部の第２テーパー面と第１ロック部とが摺動し、第２ロック部に設けられたロックアームが第１ロック部の突設方向に撓み易くなるため、取付部材をハウジングに取付け易くなる。
【発明の効果】
【００２５】
本明細書に開示されるコネクタによれば、コネクタの小型化を図ることができる。
【図面の簡単な説明】
【００２６】
【図１】本実施形態におけるコネクタの斜視図
【図２】コネクタの正面図
【図３】コネクタの平面図
【図４】コネクタの背面図
【図５】図２におけるＡ−Ａ断面図
【図６】一方のリテーナを取付ける前の状態におけるコネクタの斜視図
【図７】図６におけるバスバーの露出面付近の拡大図
【図８】図７において、バスバーの露出面を異なる角度から視た図
【図９】左側のリテーナの平面図
【図１０】左側のリテーナの側面図
【発明を実施するための形態】
【００２７】
＜実施形態＞
図１から図１０を参照して本実施形態を説明する。以降の説明では、図１から図１０のＺ方向を上方、Ｘ方向を前方、Ｙ方向を右方とする。
【００２８】
本実施形態のコネクタ１０は、車両のバッテリとＰＣＵ（Ｐｏｗｅｒ  Ｃｏｎｔｒｏｌ  Ｕｎｉｔ）との間を繋ぐコネクタであって、図１、図２、図４に示すように、平面視長円形の円柱状をなす樹脂製のハウジング１２と、ハウジング１２にインサート成形により固定される導電金属製の左右一対の端子１４と、ハウジング１２とは別体の一対のリテーナ（取付部材）１６と、を備えている。一対のリテーナ１６は、角ナット１７をハウジング１２に保持するリテーナであって、角ナット１７が内部に収容された状態で、ハウジング１２にそれぞれ取付けられる。
【００２９】
ハウジング１２の上部には、図１、図２に示すように、一対のリテーナ１６がそれぞれ収容される左右一対の収容部１８が設けられており、一対の収容部１８の間には、仕切り壁２０が設けられている。一対の収容部１８は、前方及び上方に開口しており、一対のリテーナ１６は、一対の収容部１８の前方の開口部からそれぞれ挿通される。ハウジング１２の下部には、図１、図３に示すように、フード部２２が下方に開口して設けられている。
【００３０】
一対の端子１４は、板状をなし、中央に接続孔が開口する第１接続部２６（図１に示す）と、上下方向に長い円筒状をなす第２接続部２８（図３に示す）と、第１接続部２６と第２接続部２８とを連結するバスバー３０（図１、図５に示す）と、をそれぞれ備えている。
【００３１】
一対の第１接続部２６は、図１、図２に示すように、ハウジング１２の左右の収容部１８の、上方の開口部の開口縁３２上にそれぞれ設けられている。一対のバスバー３０は、仕切り壁２０内に埋設されており、一対の第１接続部２６の側縁とそれぞれ連なっている。一対のバスバー３０は、仕切り壁２０内において左右方向に所定の間隔を空けて配されており、一対の端子１４は、仕切り壁２０によって互いに電気的に絶縁されている。
【００３２】
一対の第２接続部２８は、図３に示すように、フード部２２内に設けられており、左右方向に所定の間隔を空けて配されている。一対の第２接続部２８と、一対のバスバー３０とはそれぞれ連なっており、一対の第１接続部２６と一対の第２接続部２８とは、一対のバスバー３０を介して、それぞれ電気的に接続されている。
【００３３】
仕切り壁２０の左右両側面には、図１、図２に示すように、凹状の一対の溝部３４がそれぞれ設けられており、一対の溝部３４の底面（即ち、左右方向側の面）には、図１、図５に示すように、一対のバスバー３０の板面の一部が露出する露出面３６がそれぞれ設けられている。
【００３４】
一対のバスバー３０の露出面３６上には、図５、図６に示すように、一対の第１ロック部３８が、一対の収容部１８の内方（左方及び右方）に向けて、それぞれ突設されている。一対の第１ロック部３８は、インサート成形時にハウジング１２と一体に形成され、一対のバスバー３０の露出面３６側に位置している。また、第１ロック部３８は、一対のバスバー３０の露出面３６の少なくとも一部に設けられているとともに、露出面３６上に直に設けられている。このように、ハウジング１２の第１ロック部３８は、バスバー３０の露出面３６上に直に設けられているため、従来のように、第１ロック部とバスバーとの間に、樹脂壁が設けられている構成と比較して、樹脂壁が設けられていないことで、樹脂壁の樹脂厚分、ハウジング１２の小型化を図ることができる。
【００３５】
第１ロック部３８には、第１ロック部３８の突設方向の端部から前方に、露出面３６に向けて傾斜する第１テーパー面４０が設けられている。また、第１ロック部３８の上面及び下面は、図７、図８に示すように、溝部３４の上面及び下面と連なっており、溝部３４の上面及び下面は、第１ロック部３８と連なることで第１ロック部３８をそれぞれ保持する上下一対の保持壁４２とされる。
【００３６】
図５に示すように、一対の収容部１８内の仕切り壁２０と対向する対向面４４には、一対の第３ロック部４６が、一対の第１ロック部３８に向けてそれぞれ突設されている。第３ロック部４６は、第１ロック部３８と対向する位置に設けられており、第３ロック部４６には、第３ロック部４６の突設方向の端部から前方に、対向面４４に向けて傾斜する第３テーパー面４８が設けられている。
【００３７】
一対のリテーナ１６のうち、左側の収容部１８に収容される左側のリテーナ１６Ａについて説明する。左側のリテーナ１６Ａは、図９、図１０に示すように、上方が開口する箱状をなしており、底面を構成する底壁部５０と、左右両側面を構成する一対の側壁部５２と、後面を構成する後壁部５４と、前面を構成する前壁部５６と、左右一対のロックアーム５８と、から構成されている。
【００３８】
左右一対のロックアーム５８は、一対の側壁部５２の後端部から後方に、片持ち状にそれぞれ突出して設けられている。
左右一対のロックアーム５８のうち、右側のロックアーム５８Ａには、右側のロックアーム５８Ａの右面から右方に向けて、第２ロック部６０が突設されている。第２ロック部６０は、第１ロック部３８と係合される。第２ロック部６０が第１ロック部３８と係合された状態において、第２ロック部６０はバスバー３０の露出面３６と対向している。第２ロック部６０は、第２ロック部６０の右端部から、右側のロックアーム５８Ａの後端部に向けて傾斜する第２テーパー面６２が設けられている。
【００３９】
左右一対のロックアーム５８のうち、左側のロックアーム５８Ｂには、左側のロックアーム５８Ｂの左面から左方に向けて、第４ロック部６４が突設されている。第４ロック部６４は、第４ロック部６４の右端部から、左側のロックアーム５８Ｂの後端部に向けて傾斜する第４テーパー面６６が設けられている。
【００４０】
右側の収容部１８に収容される右側のリテーナ１６Ｂは、第２ロック部６０が左側のロックアーム５８Ｂ側に設けられており、第４ロック部６４が右側のロックアーム５８Ａ側に設けられている点が、左側のリテーナ１６Ａと異なる。それ以外の構成は、左側のリテーナ１６Ａと同じ構成となっている。
【００４１】
次に、本実施形態の作用について説明する。
左側の収容部１８に左側のリテーナ１６Ａが収容されていない状態（図６に示す状態）において、左側のリテーナ１６Ａを、左側の収容部１８の前方の開口部から、収容部１８内に挿通すると、右側のロックアーム５８Ａの第２ロック部６０はハウジング１２の第１ロック部３８に前方から当接し、左側のロックアーム５８Ｂの第４ロック部６４はハウジング１２の第３ロック部４６に前方から当接する。このとき、右側のロックアーム５８Ａの第２ロック部６０がハウジング１２の第１ロック部３８に前方から強く当接することで、ハウジング１２の第１ロック部３８に負荷がかかるものの、図７、図８に示すように、第１ロック部３８の上面及び下面は保持壁４２と連なることで、第１ロック部３８は保持壁４２に保持されているため、第１ロック部３８が破損することが抑制される。
【００４２】
さらに、左側のリテーナ１６Ａを前方に押し込むと、右側のロックアーム５８Ａの第２ロック部６０の第２テーパー面６２は、ハウジング１２の第１ロック部３８の第１テーパー面４０と摺動し、右側のロックアーム５８Ａは左方に撓むこととなる。このとき、右側のロックアーム５８Ａの第２ロック部６０には第２テーパー面６２が設けられ、ハウジング１２の第１ロック部３８には第１テーパー面４０が設けられていることから、右側のロックアーム５８Ａは左方に撓み易くなっている。また、左側のロックアーム５８Ｂの第４ロック部６４の第４テーパー面６６は、ハウジング１２の第３ロック部４６の第３テーパー面４８と摺動し、左側のロックアーム５８Ｂは右方に撓むこととなる。このとき、左側のロックアーム５８Ｂの第４ロック部６４には第４テーパー面６６が設けられ、ハウジング１２の第３ロック部４６には第３テーパー面４８が設けられていることから、左側のロックアーム５８Ｂは右方に撓み易くなっている。
【００４３】
さらに、左側のリテーナ１６Ａを後方に挿通すると、右側のロックアーム５８Ａの第２ロック部６０が第１ロック部３８を乗り越え、左側のロックアーム５８Ｂの第４ロック部６４がハウジング１２の第３ロック部４６を乗り越えることで、一対のロックアーム５８の撓みが復元する。これにより、図５に示すように、右側のロックアーム５８Ａの第２ロック部６０はハウジング１２の第１ロック部３８に後方から当接可能な状態となり、左側のロックアーム５８Ｂの第４ロック部６４はハウジング１２の第３ロック部４６に後方から当接可能な状態となる。これにより、左側のリテーナ１６Ａは、ハウジング１２から前方へ抜け止め状態で係止され、左側のリテーナ１６Ａに収容された角ナット１７を、ハウジング１２に保持することができる。
【００４４】
以上のように本実施形態によれば、ハウジング１２の第１ロック部３８は、バスバー３０の露出面３６側に設けられているため、例えば、第１ロック部とバスバーの露出面との間に樹脂壁が形成されることにより第１ロック部がバスバーの露出面側に位置しない構成と比較して、樹脂壁の厚さ分、ハウジング１２の小型化を図ることができる。したがって、コネクタ１０の小型化を図ることができる。
【００４５】
また、第２ロック部６０はバスバー３０の露出面３６に対向する位置に設けられていることから、例えば、第１ロック部がバスバーの露出面の端部に設けられており、第２ロック部が露出面の端部より嵌合方向前方に位置し、ハウジングの内壁と対向して設けられる構成と比較して、第２ロック部６０の長さ分、ハウジング１２及びリテーナ１６の小型化を図ることができる。
【００４６】
また、第１ロック部３８は、バスバー３０の露出面３６の少なくとも一部に設けられているため、例えば、第１ロック部とバスバーの露出面との間に樹脂壁が設けられており、バスバー３０の露出面３６に第１ロック部３８が直に設けられていない構成と比較して、樹脂壁の樹脂厚分、ハウジング１２の小型化を図ることができる。
【００４７】
ハウジング１２の第１ロック部３８は、バスバー３０の露出面３６上に直に設けられているため、従来のように、第１ロック部とバスバーとの間に、ハウジングの樹脂壁が設けられている構成と比較して、樹脂壁が設けられていないことで、樹脂壁の樹脂厚分、ハウジング１２の小型化を図ることができる。したがって、コネクタ１０の小型化を図ることができる。
【００４８】
また、第１ロック部３８の両側面に保持壁４２を設けることで、リテーナ１６の取付の際に、第１ロック部３８に第２ロック部６０が強く当たったとしても、第１ロック部３８は保持壁４２に保持されていることから、第１ロック部３８が破損することが抑制される。
【００４９】
また、第２ロック部６０を片持ち状のロックアーム５８の端部に設けることで、リテーナ１６をハウジング１２に取付ける際に、第２ロック部６０が第１ロック部３８に当たると、ロックアーム５８が撓むため、リテーナ１６をハウジング１２に取付け易くなる。
【００５０】
また、リテーナ１６は、一対のロックアーム５８の端部に設けられた第２ロック部６０及び第４ロック部６４により、ハウジング１２の第１ロック部３８及び第３ロック部４６に当接して係止されるため、ロックアーム５８が１つのみの構成と比較して、リテーナ１６はハウジング１２から外れ難くなる。
【００５１】
また、第１ロック部３８に第１テーパー面４０を設けることで、リテーナ１６をハウジング１２に取付ける際に、第１ロック部３８の第１テーパー面４０と第２ロック部６０とが摺動し、第２ロック部６０に設けられたロックアーム５８が第１ロック部３８の突設方向に撓み易くなるため、リテーナ１６をハウジング１２に取付け易くなる。
【００５２】
また、第２ロック部６０に第２テーパー面６２を設けることで、リテーナ１６をハウジング１２に取付ける際に、第２ロック部６０の第２テーパー面６２と第１ロック部３８とが摺動し、第２ロック部６０に設けられたロックアーム５８が第１ロック部３８の突設方向に撓み易くなるため、リテーナ１６をハウジング１２に取付け易くなる。
【００５３】
＜他の実施形態＞
本明細書によって開示される技術は上記記述及び図面によって説明した実施形態に限定されるものではなく、例えば次のような種々の態様も含まれる。
（１）上記実施形態では、取付部材は、角ナット１７をハウジング１２に保持するリテーナ１６である構成としたが、取付部材はハウジング１２に取付けられる別体部品であればどのようなものでも良く、例えば、シールリングに当接してシールリングをハウジングに保持するリテーナに適用しても良い。
（２）上記実施形態では、第３ロック部４６は、ロックアーム５８に突設される構成としたが、第３ロック部は、凹形状をなす構成とし、第１ロック部の凸部と第３ロック部凹部とが嵌合する構成としても良い。
（３）上記実施形態では、ロックアーム５８は一対設けられる構成としたが、ロックアームは１つの構成としても良いし、３つ以上設ける構成としても良い。
（４）上記実施形態では、第１ロック部３８は露出面３６の一部に設けられる構成としたが、第１ロック部３８はバスバー３０側に設けられていれば良く、例えば第１ロック部は露出面の全てを覆うように設けられる構成としても良い。
（５）上記実施形態では、第１ロック部３８は露出面３６に直に設けられる構成としたが、第１ロック部３８は露出面３６側に設けられていれば良く、例えば第１ロック部と露出面との間は離れている構成としても良い。
（６）上記実施形態において、第１ロック部３８は露出面３６に直に設けられている構成とは、第１ロック部３８が露出面３６に接して積層されていることを指す。なお、第１ロック部３８は上述のように露出面３６側に設けられていれば良く、例えば第１ロック部と露出面の間に中間層（図示しない）を設ける構成であっても良いことは言うまでもない。
（７）上記実施形態において、第１ロック部３８はハウジング１２と一体とされる形態を示したが、別体で形成されていても良いことは言うまでもない。例えば、ハウジングと露出面を、中間層を介して接着して構成しても良い。
【符号の説明】
【００５４】
１０：コネクタ
１２：ハウジング
１６：リテーナ（取付部材）
３０：バスバー
３６：露出面
３８：第１ロック部
４０：第１テーパー面
４２：保持壁
４６：第３ロック部
４８：第３テーパー面
５８：ロックアーム
６０：第２ロック部
６２：第２テーパー面
６４：第４ロック部
６６：第４テーパー面
【図１】
2019208220.tif 000003
【図２】
2019208220.tif 000004
【図３】
2019208220.tif 000005
【図４】
2019208220.tif 000006
【図５】
2019208220.tif 000007
【図６】
2019208220.tif 000008
【図７】
2019208220.tif 000009
【図８】
2019208220.tif 000010
【図９】
2019208220.tif 000011
【図１０】
2019208220.tif 000012
【手続補正書】
【提出日】令和2年7月16日(2020.7.16)
【手続補正１】
【補正対象書類名】明細書
【補正対象項目名】００２６
【補正方法】変更
【補正の内容】
【００２６】
【図１】本実施形態におけるコネクタの斜視図
【図２】コネクタの正面図
【図３】コネクタの底面図
【図４】コネクタの平面図
【図５】図２におけるＡ−Ａ断面図
【図６】一方のリテーナを取付ける前の状態におけるコネクタの斜視図
【図７】図６におけるバスバーの露出面付近の拡大図
【図８】図７において、バスバーの露出面を異なる角度から視た図
【図９】左側のリテーナの平面図
【図１０】左側のリテーナの側面図
【手続補正２】
【補正対象書類名】明細書
【補正対象項目名】００３９
【補正方法】変更
【補正の内容】
【００３９】
左右一対のロックアーム５８のうち、左側のロックアーム５８Ｂには、左側のロックアーム５８Ｂの左面から左方に向けて、第４ロック部６４が突設されている。第４ロック部６４は、第４ロック部６４の左端部から、左側のロックアーム５８Ｂの後端部に向けて傾斜する第４テーパー面６６が設けられている。
【手続補正３】
【補正対象書類名】明細書
【補正対象項目名】００４２
【補正方法】変更
【補正の内容】
【００４２】
さらに、左側のリテーナ１６Ａを後方に押し込むと、右側のロックアーム５８Ａの第２ロック部６０の第２テーパー面６２は、ハウジング１２の第１ロック部３８の第１テーパー面４０と摺動し、右側のロックアーム５８Ａは左方に撓むこととなる。このとき、右側のロックアーム５８Ａの第２ロック部６０には第２テーパー面６２が設けられ、ハウジング１２の第１ロック部３８には第１テーパー面４０が設けられていることから、右側のロックアーム５８Ａは左方に撓み易くなっている。また、左側のロックアーム５８Ｂの第４ロック部６４の第４テーパー面６６は、ハウジング１２の第３ロック部４６の第３テーパー面４８と摺動し、左側のロックアーム５８Ｂは右方に撓むこととなる。このとき、左側のロックアーム５８Ｂの第４ロック部６４には第４テーパー面６６が設けられ、ハウジング１２の第３ロック部４６には第３テーパー面４８が設けられていることから、左側のロックアーム５８Ｂは右方に撓み易くなっている。
【手続補正４】
【補正対象書類名】明細書
【補正対象項目名】００４６
【補正方法】変更
【補正の内容】
【００４６】
また、第１ロック部３８は、バスバー３０の露出面３６の少なくとも一部に設けられているため、例えば、第１ロック部とバスバーの露出面との間に樹脂壁が設けられており、バスバーの露出面に第１ロック部が直に設けられていない構成と比較して、樹脂壁の樹脂厚分、ハウジング１２の小型化を図ることができる。
【手続補正５】
【補正対象書類名】明細書
【補正対象項目名】００５３
【補正方法】変更
【補正の内容】
【００５３】
＜他の実施形態＞
本明細書によって開示される技術は上記記述及び図面によって説明した実施形態に限定されるものではなく、例えば次のような種々の態様も含まれる。
（１）上記実施形態では、取付部材は、角ナット１７をハウジング１２に保持するリテーナ１６である構成としたが、取付部材はハウジング１２に取付けられる別体部品であればどのようなものでも良く、例えば、シールリングに当接してシールリングをハウジングに保持するリテーナに適用しても良い。
（２）上記実施形態では、第２ロック部６０は、ロックアーム５８に突設される構成としたが、第２ロック部は、凹形状をなす構成とし、第１ロック部の凸部と第２ロック部の凹部とが嵌合する構成としても良い。
（３）上記実施形態では、ロックアーム５８は一対設けられる構成としたが、ロックアームは１つの構成としても良いし、３つ以上設ける構成としても良い。
（４）上記実施形態では、第１ロック部３８は露出面３６の一部に設けられる構成としたが、第１ロック部３８はバスバー３０側に設けられていれば良く、例えば第１ロック部は露出面の全てを覆うように設けられる構成としても良い。
（５）上記実施形態では、第１ロック部３８は露出面３６に直に設けられる構成としたが、第１ロック部３８は露出面３６側に設けられていれば良く、例えば第１ロック部と露出面との間は離れている構成としても良い。
（６）上記実施形態において、第１ロック部３８は露出面３６に直に設けられている構成とは、第１ロック部３８が露出面３６に接して積層されていることを指す。なお、第１ロック部３８は上述のように露出面３６側に設けられていれば良く、例えば第１ロック部と露出面の間に中間層（図示しない）を設ける構成であっても良いことは言うまでもない。
（７）上記実施形態において、第１ロック部３８はハウジング１２と一体とされる形態を示したが、別体で形成されていても良いことは言うまでもない。例えば、ハウジングと露出面を、中間層を介して接着して構成しても良い。
【手続補正６】
【補正対象書類名】図面
【補正対象項目名】図３
【補正方法】変更
【補正の内容】
【図３】
2019208220.tif 000013
【国際調査報告】
2019208220.tif 000014
2019208220.tif 000015
2019208220.tif 000016